(57)【要約】【課題】漏電遮断器の端子部に配線を接続する作業の手間を軽減できるとともに、当該作業以外のときには漏電遮断器の端子部に人の手が触れることを防止することに有利な給湯機を提供する。【解決手段】給湯機１は、端子部７ａを有する漏電遮断器７と、漏電遮断器７の端子部７ａを覆うことのできるカバー２５と、カバー２５を支持する支持部２７と、工事用窓２ｃを有する外郭ケース２と、工事用窓２ｃを塞ぐことのできる第一蓋２４と、を備える。支持部２７は、第一蓋２４を開けた状態のときに、カバー２５が漏電遮断器７の端子部７ａを覆う閉位置と、閉位置よりもカバー２５が漏電遮断器７の端子部７ａから離れた開位置とに、カバー２５が移動可能となるようにカバー２５を支持する。【選択図】図８
2018151101.tif 000002
【特許請求の範囲】
【請求項１】
給湯のための給湯用機器と、
端子部を有する漏電遮断器と、
前記漏電遮断器の前記端子部を覆うことのできるカバーと、
前記カバーを支持する支持部と、
前記給湯用機器、前記漏電遮断器、前記カバー、及び前記支持部を収納し、前記漏電遮断器に対応する位置を含む領域に形成された第一窓を有する外郭ケースと、
前記第一窓を塞ぐことのできる第一蓋と、
を備え、
前記支持部は、前記第一蓋を開けた状態のときに、前記カバーが前記漏電遮断器の前記端子部を覆う閉位置と、前記閉位置よりも前記カバーが前記漏電遮断器の前記端子部から離れた開位置とに、前記カバーが移動可能となるように前記カバーを支持する、
給湯機。
【請求項２】
工具を使用することなく前記カバーを前記閉位置と前記開位置とに移動可能である請求項１に記載の給湯機。
【請求項３】
前記支持部は、前記カバーが回転移動可能となるように前記カバーを支持する請求項１または請求項２に記載の給湯機。
【請求項４】
前記カバーを前記閉位置に保持する第一係合部と、
前記カバーを前記開位置に保持する第二係合部と、
を備える請求項１から請求項３のいずれか一項に記載の給湯機。
【請求項５】
前記カバー、前記支持部、前記第一係合部、及び前記第二係合部が一つの部品から構成されている請求項４に記載の給湯機。
【請求項６】
前記カバーが前記開位置にある状態において前記第一蓋で前記第一窓を閉じると、前記カバーが前記第一蓋に押されて前記開位置から前記閉位置へ移動する請求項１から請求項５のいずれか一項に記載の給湯機。
【請求項７】
前記漏電遮断器の前記端子部は、外部から前記給湯機に電力を供給する外部電源線を接続するための端子部である請求項１から請求項６のいずれか一項に記載の給湯機。
【請求項８】
前記カバーは、開口を有し、
前記カバーが前記閉位置にある状態において前記漏電遮断器の操作部が前記開口の内側に位置する請求項１から請求項７のいずれか一項に記載の給湯機。
【請求項９】
前記第一蓋に形成された第二窓と、
前記第二窓を塞ぐことのできる第二蓋と、
を備え、
前記第一窓が前記第一蓋で塞がれた状態で前記第二蓋を開けると、前記第二窓と前記カバーの前記開口とを介して前記漏電遮断器の操作部を視認可能である請求項８に記載の給湯機。
【請求項１０】
前記カバーに付された表示を備え、
前記表示は、前記漏電遮断器の操作部のレバー位置に関する説明を含む請求項１から請求項９のいずれか一項に記載の給湯機。
【発明の詳細な説明】
【技術分野】
【０００１】
本発明は、給湯機に関する。
【背景技術】
【０００２】
電力により運転される給湯機が広く用いられている。給湯機を設置する工事においては、給湯機が備える漏電遮断器の端子部に配線を接続する作業が行われる。
【０００３】
下記特許文献１には、以下のようなブレーカ取り付け構造が開示されている。造営面内に埋設されたボックスに取り付けられたブレーカのハンドルを、化粧カバーのハンドル孔から突出させるとともに、透明のハンドル保護カバーによりハンドルを覆う。ハンドル保護カバーは、開閉可能である。
【先行技術文献】
【特許文献】
【０００４】
【特許文献１】特開平６−１１３４２４号公報
【発明の概要】
【発明が解決しようとする課題】
【０００５】
上述した従来の技術では、漏電遮断器の端子部に配線を接続する作業のことに関しては何ら考慮されていない。
【０００６】
本発明は、上述のような課題を解決するためになされたもので、漏電遮断器の端子部に配線を接続する作業の手間を軽減できるとともに、当該作業以外のときには漏電遮断器の端子部に人の手が触れることを防止することに有利な給湯機を提供することを目的とする。
【課題を解決するための手段】
【０００７】
本発明に係る給湯機は、給湯のための給湯用機器と、端子部を有する漏電遮断器と、漏電遮断器の端子部を覆うことのできるカバーと、カバーを支持する支持部と、給湯用機器、漏電遮断器、カバー、及び支持部を収納し、漏電遮断器に対応する位置を含む領域に形成された第一窓を有する外郭ケースと、第一窓を塞ぐことのできる第一蓋と、を備え、支持部は、第一蓋を開けた状態のときに、カバーが漏電遮断器の端子部を覆う閉位置と、閉位置よりもカバーが漏電遮断器の端子部から離れた開位置とに、カバーが移動可能となるようにカバーを支持するものである。
【発明の効果】
【０００８】
本発明によれば、漏電遮断器の端子部に配線を接続する作業の手間を軽減できるとともに、当該作業以外のときには漏電遮断器の端子部に人の手が触れることを防止することに有利な給湯機を提供することが可能となる。
【図面の簡単な説明】
【０００９】
【図１】実施の形態１による給湯機を示す模式的な正面図である。
【図２】実施の形態１による給湯機の外観を示す正面図である。
【図３】図２に示す給湯機１の外郭ケースの工事用窓及びその近くを拡大した斜視図である。
【図４】実施の形態１による給湯機が備えるカバーユニットの展開状態を示す斜視図である。
【図５】図４に示すカバーユニットを組み立てた状態を示す斜視図である。
【図６】カバーが閉位置にあるときのカバーユニットの断面図である。
【図７】カバーが開位置にあるときのカバーユニットの断面図である。
【図８】実施の形態１による給湯機の漏電遮断器及びその近くの断面側面図である。
【図９】実施の形態１による給湯機の漏電遮断器及びその近くの断面側面図である。
【発明を実施するための形態】
【００１０】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１１】
実施の形態１．
図１は、実施の形態１による給湯機１を示す模式的な正面図である。図２は、実施の形態１による給湯機１の外観を示す正面図である。図１及び図２に示すように、実施の形態１による給湯機１は、外郭ケース２及び複数の脚３を備える。外郭ケース２は、給湯機１が備える後述の給湯用機器を収納して保護する筐体に相当する。
【００１２】
図１に示すように、外郭ケース２の内部に、貯湯タンク４、制御装置５、外部配線接続部６、漏電遮断器７、カバーユニット８、第一機器ユニット９、及び第二機器ユニット１０が収納されている。外郭ケース２及び貯湯タンク４は、複数の脚３を介して、土台または床面に固定される。図１は、外郭ケース２の正面の壁である正面パネル２ａを透過して内部を透視した透視図である。
【００１３】
貯湯タンク４は、湯水を貯留する。貯湯タンク４は、断熱材（図示省略）により覆われている。貯湯タンク４の水を加熱する加熱装置（図示省略）は、いかなる構成のものでもよい。加熱装置は、外郭ケース２の外部に設置されてもよいし、外郭ケース２の内部に設置されてもよい。加熱装置は、例えば、ヒートポンプ式加熱装置でもよいし、貯湯タンク４内に設置される電気ヒータでもよい。
【００１４】
制御装置５は、給湯機１の動作を制御する。制御装置５は、制御基板５ａを備える。制御装置５は、防水機能を有する構造であってもよい。外部配線接続部６に漏電遮断器７が配置されている。後述するように、漏電遮断器７は、外部電源線９０が接続される端子部７ａを有する。外部電源からの電力が、外部電源線９０を通って給湯機１に供給される。外部電源線９０から供給される電力は、例えば、２００ボルトの単相交流でもよい。漏電遮断器７は、漏電時に電路を遮断する。カバーユニット８は、漏電遮断器７の端子部７ａを覆うことができる。カバーユニット８の詳細については後述する。
【００１５】
本実施の形態において制御装置５は、外部配線接続部６から離れた位置にある。制御装置５は、外部配線接続部６に隣接していない。外部配線接続部６は、外郭ケース２の上端よりも外郭ケース２の下端に近い位置にある。これにより、漏電遮断器７に外部電源線９０を接続する作業が容易になる。
【００１６】
第一配線２１は、漏電遮断器７と、制御装置５との間をつなぐケーブルである。第一配線２１は、外部配線接続部６から制御装置５へ電力を伝える。
【００１７】
第一機器ユニット９は、ポンプ、弁、センサ、及び熱交換器のうちの少なくとも一つを備えてもよい。第一機器ユニット９は、貯湯タンク４の外部にある。第二配線２２は、制御装置５と第一機器ユニット９との間をつなぐケーブルである。第一機器ユニット９が備えるポンプまたは弁を制御装置５が駆動または制御する信号が第二配線２２により伝達されてもよい。第一機器ユニット９が備える流量センサあるいは温度センサのようなセンサにより検出される信号が第二配線２２により制御装置５へ伝達されてもよい。
【００１８】
本実施の形態において制御装置５及び第一機器ユニット９は、外部配線接続部６の位置より高い位置にある。制御装置５の位置は、第一機器ユニット９の位置と同じくらいの高さにある。鉛直方向に関する制御装置５の位置と、鉛直方向に関する第一機器ユニット９の位置とは、重なりを有する。
【００１９】
第二機器ユニット１０は、ポンプ、弁、センサ、及び熱交換器のうちの少なくとも一つを備えてもよい。第二機器ユニット１０は、貯湯タンク４の外部にある。第三配線２３は、制御装置５と第二機器ユニット１０との間をつなぐケーブルである。第二機器ユニット１０が備えるポンプまたは弁を制御装置５が駆動または制御する信号が第三配線２３により伝達されてもよい。第二機器ユニット１０が備える流量センサあるいは温度センサのようなセンサにより検出される信号が第三配線２３により制御装置５へ伝達されてもよい。
【００２０】
出湯管１２は、貯湯タンク４の上部と第一機器ユニット９との間をつなぐ。第一機器ユニット９には、給湯管１３が接続されている。風呂給湯管１４は、第一機器ユニット９と第二機器ユニット１０との間をつなぐ。第二機器ユニット１０には、風呂給湯管１５が接続されている。
【００２１】
第一機器ユニット９は、貯湯タンク４から出湯管１２を通って供給される高温水に給水管（図示省略）から供給される低温水を混合することで給湯温度を調節する混合弁を備えてもよい。第一機器ユニット９にて温度調節された湯は、給湯管１３を通って、外部の給湯端末へ供給されてもよい。給湯端末は、例えば、シャワー、台所または洗面所の蛇口などでもよい。第一機器ユニット９にて温度調節された湯は、風呂給湯管１４、第二機器ユニット１０、及び風呂給湯管１５を経由して、外部の浴槽へ供給されてもよい。第二機器ユニット１０は、浴槽から導かれた浴槽水を加熱する追い焚き熱交換器を備えてもよい。給湯機１は、第一機器ユニット９及び第二機器ユニット１０以外の機器ユニットをさらに備えてもよい。
【００２２】
本実施の形態では、制御装置５が外部配線接続部６から分離していることで、制御装置５を設置する位置の自由度が高い。例えば、制御装置５と第一機器ユニット９との空間的な距離が、制御装置５と外部配線接続部６との空間的な距離より近くなるような位置に制御装置５を設置することもできる。本発明では、図示の構成に代えて、制御装置５が外部配線接続部６に一体化または隣接していてもよい。
【００２３】
リモコン１６は、給湯機１の外部に設置される。リモコン１６は、例えば、台所または浴室に設置されてもよい。リモコン１６は、ユーザーが操作する操作部、給湯機１に関する情報を表示する表示部などを備えてもよい。リモコン１６は、外部配線１７を介して、給湯機１に対して有線通信可能に接続される。
【００２４】
本実施の形態における外部配線接続部６は、リモコン接続端子６ａを備える。リモコン１６と通信するための外部配線１７は、リモコン接続端子６ａに接続される。中継配線１８は、制御装置５とリモコン接続端子６ａとの間をつなぐ。外部配線１７、リモコン接続端子６ａ及び中継配線１８を介して、リモコン１６と制御装置５とが通信可能となる。本実施の形態であれば、外部配線接続部６がリモコン接続端子６ａを備えたことで、リモコン１６と通信するための外部配線１７を給湯機１に接続する作業が容易になる。
【００２５】
本実施の形態における外部配線接続部６は、外部加熱装置用端子台６ｂを備える。外部給電線９１が外部加熱装置用端子台６ｂに接続される。外部給電線９１は、例えばヒートポンプ式加熱装置のような外部加熱装置（図示省略）と、給湯機１との間をつなぐ。給湯機１から外部給電線９１により外部加熱装置へ電力を供給する。外部給電線９１は、通信線を兼ねてもよい。中継配線１９は、制御装置５と外部加熱装置用端子台６ｂとの間をつなぐ。
【００２６】
図２に示すように、外郭ケース２は、工事用窓２ｃを有する。工事用窓２ｃは、外郭ケース２の正面パネル２ａの一部の領域に形成された開口である。給湯機１は、工事用窓２ｃを塞ぐことのできる第一蓋２４を備える。図２は、工事用窓２ｃが第一蓋２４によって塞がれた状態を示す。本実施の形態において、第一蓋２４は、ネジを用いて外郭ケース２に取り付けられている。当該ネジを外すことで外郭ケース２から第一蓋２４を取り外すことができる。このような構成に代えて、例えば、第一蓋２４が外郭ケース２に対してヒンジを介して開閉可能に連結されていてもよい。
【００２７】
図３は、図２に示す給湯機１の外郭ケース２の工事用窓２ｃ及びその近くを拡大した斜視図である。図３は、外郭ケース２から第一蓋２４を取り外した状態、すなわち第一蓋２４を開けた状態を示す。工事用窓２ｃは、外郭ケース２の外から見たときに、漏電遮断器７を含む外部配線接続部６に対応する領域に形成されている。本実施の形態において工事用窓２ｃは、漏電遮断器７に対応する位置を含む領域に形成された「第一窓」に相当する。
【００２８】
図３に示すように、第一蓋２４を開けると、工事用窓２ｃから、外部配線接続部６の漏電遮断器７及び外部加熱装置用端子台６ｂなどを視認できる。本実施の形態であれば、給湯機１の設置工事において、外部電源線９０及び外部給電線９１などの外部配線を給湯機１に対して接続する作業のときに、第一蓋２４を開けることで、工事用窓２ｃから作業を実施できる。これにより、外郭ケース２の正面パネル２ａを取り外す必要がないので、作業の工数を軽減できる。外郭ケース２の蹴込み２ｄには、配線口２ｅが形成されている。工事用窓２ｃは、配線口２ｅに近い位置にある。上記の作業において、外部電源線９０及び外部給電線９１は、配線口２ｅを通って、外郭ケース２の内部の外部配線接続部６へ引き込まれる。その後、外部電源線９０は、漏電遮断器７の端子部７ａに接続される。外部給電線９１は、外部加熱装置用端子台６ｂに接続される。
【００２９】
カバーユニット８は、漏電遮断器７の端子部７ａを覆うことのできるカバー２５を有する。カバー２５は、閉位置と開位置とに移動可能である。閉位置は、カバー２５が漏電遮断器７の端子部７ａを覆う位置である。開位置は、閉位置よりもカバー２５が漏電遮断器７の端子部７ａから離れる位置である。図３は、カバー２５が開位置にある状態を示す。外部配線作業を行う際には、カバー２５を開位置にすることで、カバー２５が漏電遮断器７の端子部７ａから十分に離れるので、漏電遮断器７の端子部７ａに外部電源線９０を接続する作業を容易に実施できる。当該作業の終了後、カバー２５を閉位置にすると、カバー２５が漏電遮断器７の端子部７ａを覆う。カバー２５を閉位置にすると、人の手が漏電遮断器７の端子部７ａに触れることを防止できる。
【００３０】
第一蓋２４には、漏電遮断器操作窓２４ａが形成されている。漏電遮断器操作窓２４ａは、第一蓋２４の一部の領域に形成された開口である。図３は、漏電遮断器操作窓２４ａが第二蓋２６によって塞がれた状態を示す。本実施の形態において第二蓋２６は、ネジ（図示省略）を用いて第一蓋２４に取り付けられている。当該ネジを外すことで第一蓋２４から第二蓋２６を取り外すことができる。このような構成に代えて、例えば、第二蓋２６が第一蓋２４に対してヒンジを介して開閉可能に連結されていてもよい。本実施の形態において漏電遮断器操作窓２４ａは、「第二窓」に相当する。
【００３１】
第一蓋２４は、ツマミ２４ｂを有する。ツマミ２４ｂは、第一蓋２４の外面から突出する。第一蓋２４を開けるときにツマミ２４ｂを手でつかむことで第一蓋２４を持つことができる。
【００３２】
図４は、実施の形態１による給湯機１が備えるカバーユニット８の展開状態を示す斜視図である。図５は、図４に示すカバーユニット８を組み立てた状態を示す斜視図である。図５は、カバーユニット８のカバー２５が閉位置にある状態を示す。図６は、カバー２５が閉位置にあるときのカバーユニット８の断面図である。図７は、カバー２５が開位置にあるときのカバーユニット８の断面図である。
【００３３】
図４に示すように、カバーユニット８は、カバー２５と、カバー２５を支持する支持部２７とを備える。本実施の形態においてカバーユニット８は、プラスチック成形により製造された一つの部品である。カバー２５は、開口２５ａ、覆い部２５ｂ、一対の側壁部２５ｃ、及び一対の脚部２５ｄを有する。支持部２７は、ヒンジ２７ａ、一対の側壁部２７ｂ、及び一対の固定部２７ｃを有する。カバー２５は、ヒンジ２７ａにより、回転移動可能に支持される。ヒンジ２７ａは、曲げ変形可能な薄肉部として形成されている。ヒンジ２７ａが曲げ変形することで、カバー２５がヒンジ２７ａを中心として回転移動できる。図４に示す展開状態からヒンジ２７ａを曲げると、カバーユニット８の組み立て状態に変化する。本実施の形態であれば、カバー２５が回転移動可能であることで、カバー２５を極めて容易に開閉できる。
【００３４】
カバー２５の覆い部２５ｂは、漏電遮断器７の操作部７ｂ以外の領域を正面から覆うための部位である。覆い部２５ｂは、矩形の外周を有する板状である。開口２５ａは、覆い部２５ｂに形成された矩形の孔である。対向する一対の側壁部２５ｃは、覆い部２５ｂの右エッジ及び左エッジからそれぞれ突出する。一対の脚部２５ｄは、覆い部２５ｂの右エッジ及び左エッジからそれぞれ突出する棒状の部位である。一対の脚部２５ｄは、一対の側壁部２５ｃよりも、ヒンジ２７ａから遠い位置にある。各々の側壁部２５ｃには、突起２５ｅが形成されている。突起２５ｅは、側壁部２５ｃの内側の面から突出する。突起２５ｅの形状は、側壁部２５ｃに対して垂直な方向から見て円形である。
【００３５】
支持部２７の一対の側壁部２７ｂは、カバーユニット８の組み立て状態において、カバー２５の一対の側壁部２５ｃの内側に重なる部位である。一対の固定部２７ｃは、一対の側壁部２７ｂのエッジからそれぞれ外側へ突出する板状の部位である。各々の固定部２７ｃは、ヒンジ２７ａの反対側の、側壁部２７ｂのエッジから突出する。一対の固定部２７ｃは、カバーユニット８を外部配線接続部６に固定するための部位である。各々の固定部２７ｃには、固定用のネジを通すための孔２７ｄが形成されている。各々の側壁部２７ｂに、ガイド溝２７ｅが形成されている。カバーユニット８の組み立て状態においてはガイド溝２７ｅ内に、カバー２５の突起２５ｅが位置する。ガイド溝２７ｅは、ヒンジ２７ａを中心とする円弧状に延びる。ガイド溝２７ｅの内周面に、局所的に隆起する第一凸部２７ｆ及び第二凸部２７ｇが形成されている。第一凸部２７ｆは、ガイド溝２７ｅの一端の近くにある。第二凸部２７ｇは、ガイド溝２７ｅの他端の近くにある。ガイド溝２７ｅの幅は、第一凸部２７ｆの位置で局所的に狭くなる。ガイド溝２７ｅの幅は、第二凸部２７ｇの位置で局所的に狭くなる。
【００３６】
図５に示すように、ヒンジ２７ａは、カバー２５の上端に位置する。カバーユニット８は、固定部２７ｃの孔２７ｄに通したネジ（図示省略）によって、外部配線接続部６の壁に対して固定される。
【００３７】
図６に示すように、カバー２５が閉位置にあるときには以下のようになる。カバー２５の覆い部２５ｂは、水平面に対して実質的に垂直になる。突起２５ｅは、ガイド溝２７ｅの一端に位置する。突起２５ｅは、第一凸部２７ｆに接触する。第一凸部２７ｆの位置でのガイド溝２７ｅの幅は、突起２５ｅの直径より小さい。カバー２５に外力が加わらない限り、突起２５ｅは第一凸部２７ｆを乗り越えられない。突起２５ｅが第一凸部２７ｆに係合することで、カバー２５が閉位置に保持される。このような構成により、カバー２５を閉じた場合に、その状態を確実に維持することができる。
【００３８】
図６に示す状態から人が手でカバー２５の下端を手前に引くと、突起２５ｅ及び第一凸部２７ｆが弾性変形することにより、突起２５ｅが第一凸部２７ｆを乗り越える。そうすると、突起２５ｅがガイド溝２７ｅに対して移動可能になるので、カバー２５がヒンジ２７ａを中心として回転移動可能になる。カバー２５が開位置に近づくと、突起２５ｅが第二凸部２７ｇに接触する。第二凸部２７ｇの位置でのガイド溝２７ｅの幅は、突起２５ｅの直径より小さい。人の手がカバー２５に加える力によって突起２５ｅが第二凸部２７ｇを乗り越えると、図７に示すように、カバー２５が開位置になる。
【００３９】
図７に示すように、カバー２５が開位置にあるときには以下のようになる。カバー２５の覆い部２５ｂは、水平面に対して斜めになる。突起２５ｅは、ガイド溝２７ｅの他端に位置する。突起２５ｅは、第二凸部２７ｇに接触する。突起２５ｅが第二凸部２７ｇに係合することで、カバー２５が開位置に保持される。カバー２５に外力が加わらない限り、突起２５ｅは第二凸部２７ｇを乗り越えられない。このような構成により、カバー２５を開いた場合に、その状態を確実に維持することができる。漏電遮断器７の端子部７ａに外部電源線９０を接続する作業のときに、開いたカバー２５を手で押さえておく必要がないので、作業がしやすい。
【００４０】
本実施の形態において突起２５ｅ及び第一凸部２７ｆは、カバー２５を閉位置に保持する第一係合部に相当する。また、突起２５ｅ及び第二凸部２７ｇは、カバー２５を開位置に保持する第二係合部に相当する。本実施の形態では、この第一係合部及び第二係合部を含め、カバー２５及び支持部２７が、一つの部品であるカバーユニット８から構成されている。このため、製造コスト及び組み立てコストを低減できる。本発明では、このような構成に限らず、カバー２５及び支持部２７が複数の部品から構成されてもよいことは言うまでもない。
【００４１】
図８及び図９は、実施の形態１による給湯機１の漏電遮断器７及びその近くの断面側面図である。図８は、第一蓋２４を開けて工事用窓２ｃを開放するとともに、カバー２５を開位置にした状態を示す。図９は、第一蓋２４で工事用窓２ｃを塞ぎ、カバー２５を閉位置にした状態を示す。
【００４２】
図８に示すように、漏電遮断器７は、ネジ２８によって外部配線接続部６の壁に対して取り付けられている。カバー２５が開位置にあるときには、カバー２５の覆い部２５ｂが漏電遮断器７の端子部７ａから離れることで、漏電遮断器７の端子部７ａを視認可能となる。カバー２５が開位置にあるときには、カバー２５の一部は、工事用窓２ｃから外郭ケース２の外部へ突出する。外郭ケース２は、工事用窓２ｃの縁に取り付けられた窓枠２ｆを備える。カバー２５を閉位置にすると、カバー２５の脚部２５ｄの末端が外部配線接続部６の壁に接触する。これにより、閉位置のときにカバー２５と外部配線接続部６の壁との距離を適正な距離により確実に保つことができる。
【００４３】
第一蓋２４は、周壁部２４ｃ及びネジ孔２４ｄを備える。周壁部２４ｃは、漏電遮断器操作窓２４ａの周縁を形成する。漏電遮断器操作窓２４ａを塞ぐ第二蓋２６を第一蓋２４に固定するためのネジがネジ孔２４ｄに取り付けられる。図８及び図９では、当該ネジの図示を省略する。
【００４４】
図９に示すように、カバー２５を閉位置にすると、カバー２５の覆い部２５ｂが漏電遮断器７の正面から端子部７ａを覆う。カバー２５が閉位置にあれば、第一蓋２４を開けて工事用窓２ｃを開放しても、漏電遮断器７の端子部７ａを視認することができないとともに、人の手が誤って漏電遮断器７の端子部７ａに触れることを確実に防止できる。
【００４５】
カバー２５が閉位置にある状態において漏電遮断器７の操作部７ｂのレバーが開口２５ａの内側に位置する。これにより、カバー２５が閉位置にある状態において、漏電遮断器７の操作部７ｂのレバーを、開口２５ａから視認可能及び操作可能である。
【００４６】
第一蓋２４で工事用窓２ｃを塞いだ状態では、以下のようになる。第一蓋２４の周縁部が窓枠２ｆに係合する。第一蓋２４の周壁部２４ｃは、外郭ケース２の内部へ向かって突出する。周壁部２４ｃの末端は、開口２５ａの周囲においてカバー２５の覆い部２５ｂの表面にすべて接触する。周壁部２４ｃの末端は、全周にわたり、覆い部２５ｂの表面に接触する。このようにすることで、漏電遮断器操作窓２４ａから差し入れた人の手は、漏電遮断器７の端子部７ａに触れることができない。
【００４７】
本実施の形態では、図８の状態、すなわちカバー２５が開位置にある状態において第一蓋２４で工事用窓２ｃを閉じると、カバー２５が第一蓋２４の周壁部２４ｃに押されて開位置から閉位置へ移動し、図９の状態になる。これにより、以下の効果が得られる。カバー２５が開位置にある状態、またはカバー２５が半開きの状態で、第一蓋２４を工事用窓２ｃに取り付けたとしても、カバー２５が自動的に閉位置になる。よって、作業者が手でカバー２５を閉位置に戻さなかった場合でも、カバー２５を確実に閉位置に戻すことができる。
【００４８】
本実施の形態であれば、漏電遮断器７の端子部７ａに対する作業を行うときに、カバー２５を取り外す必要がないので、手間を軽減できる。また、作業終了後にはカバー２５を簡単に元の閉位置に戻すことができ、カバー２５を取り付け忘れるおそれもない。特に、本実施の形態であれば、工具を使用することなく、カバー２５を手で閉位置と開位置とに移動可能であるので、手間をさらに軽減できる。
【００４９】
図９に示す状態、すなわち工事用窓２ｃが第一蓋２４で塞がれた状態で、第一蓋２４から第二蓋２６を取り外すと、漏電遮断器操作窓２４ａとカバー２５の開口２５ａとを介して、漏電遮断器７の操作部７ｂのレバーを視認可能及び操作可能である。このように、本実施の形態であれば、第一蓋２４を開けることなく、漏電遮断器７の操作部７ｂのレバーを視認可能及び操作可能であるので、利便性に優れる。また、第一蓋２４に周壁部２４ｃを設けたことで、漏電遮断器操作窓２４ａから差し入れた人の手が、漏電遮断器７の、操作部７ｂ以外の領域に触れることを確実に防止できる。
【００５０】
カバー２５に、漏電遮断器７の操作部７ｂのレバー位置に関する説明を含む表示（図示省略）を付してもよい。そのような表示を付すことで、利便性を向上できる。当該表示は、例えば、カバー２５の表面にシールのように貼り付けられたものでもよいし、カバー２５の表面に文字、図形等を表す凹凸を形成したものでもよい。なお、この表示は漏電遮断器操作窓２４ａ内から見える位置の覆い部２５ｂの表面に行うのが好ましい。
【符号の説明】
【００５１】
１  給湯機、  ２  外郭ケース、  ２ｃ  工事用窓、  ２ｅ  配線口、  ２ｆ  窓枠、  ３  脚、  ４  貯湯タンク、  ５  制御装置、  ６  外部配線接続部、  ６ａ  リモコン接続端子、  ６ｂ  外部加熱装置用端子台、  ７  漏電遮断器、  ７ａ  端子部、  ７ｂ  操作部、  ８  カバーユニット、  ９  第一機器ユニット、  １０  第二機器ユニット、  １２  出湯管、  １３  給湯管、  １４，１５  風呂給湯管、  １６  リモコン、  ２４  第一蓋、  ２４ａ  漏電遮断器操作窓、  ２４ｂ  ツマミ、  ２４ｃ  周壁部、  ２４ｄ  ネジ孔、  ２５  カバー、  ２５ａ  開口、  ２５ｂ  覆い部、  ２５ｃ  側壁部、  ２５ｄ  脚部、  ２５ｅ  突起、  ２６  第二蓋、  ２７  支持部、  ２７ａ  ヒンジ、  ２７ｂ  側壁部、  ２７ｃ  固定部、  ２７ｄ  孔、  ２７ｅ  ガイド溝、  ２７ｆ  第一凸部、  ２７ｇ  第二凸部、  ９０  外部電源線、  ９１  外部給電線
【図１】
2018151101.tif 000003
【図２】
2018151101.tif 000004
【図３】
2018151101.tif 000005
【図４】
2018151101.tif 000006
【図５】
2018151101.tif 000007
【図６】
2018151101.tif 000008
【図７】
2018151101.tif 000009
【図８】
2018151101.tif 000010
【図９】
2018151101.tif 000011